(57)【特許請求の範囲】
【請求項１】
振動モータを収容するハウジングと、
前記振動モータの設置空間を形成するための切欠き部が設けられた回路基板と、
を備え、
前記ハウジングは前記振動モータに対応する箇所が前記機器ケースの内面に密着した状態で前記機器ケース内に収容されており、
前記回路基板は、弾性部材を介して前記ハウジングに対し隙間をもって取り付けられており、
前記弾性部材は、前記ハウジングに取り付けられる表示パネルと前記回路基板との間に弾力性を有して配置された状態で、その両方を電気的に接続するインターコネクタであることを特徴とする時計モジュール。
【請求項２】
前記振動モータは、緩衝部材を介して前記機器ケースの裏部によって前記ハウジング内に押圧されていることを特徴とする請求項１に記載の時計モジュール。
【請求項３】
請求項１又は請求項２のいずれか一項に記載の時計モジュールと、
機器ケースと、
を備えることを特徴とする電子機器。
【発明の詳細な説明】
【技術分野】
【０００１】
この発明は、時計モジュールおよび電子機器に関する。
【背景技術】
【０００２】
例えば、腕時計においては、特許文献１に記載されているように、腕時計ケース内に配置されたハウジングに回路基板を配置すると共に、この回路基板に切欠き部を設け、この切欠き部に対応する空間に振動モータを配置した構成のもが知られている。
【先行技術文献】
【特許文献】
【０００３】
【特許文献１】特開２０１１−１１２４６０号公報
【０００４】
このような腕時計における振動モータの取付構造では、回路基板に設けられた切欠き部によって確保された空間に振動モータを配置する際に、振動モータの振動によって回路基板が悪影響を受けないに構成する必要がある。
【０００５】
このため、この振動モータの取付構造においては、振動モータと回路基板とを接続する部分、および振動モータの振動発生部を除いて、振動モータをゴム製のカバー部材で覆い、このカバー部材で覆われた振動モータを回路基板の切欠き部による空間に対応する箇所のハウジング内に収容して、機器全体の小型化を図っている。
【発明の概要】
【発明が解決しようとする課題】
【０００６】
しかしながら、このような振動モータの取付構造では、振動モータをゴム製のカバー部材で覆っているため、カバー部材の厚み分、振動モータの設置スペースが大きくなってしまい、機器全体の小型化を十分に図ることができないという問題があるほか、ゴム製のカバー部材によって振動モータの振動が減衰され、腕時計ケースに振動モータの振動を効率良く伝達することができないという問題もある。
【０００７】
また、このような振動モータの取付構造では、回路基板の切欠き部による空間に対応する箇所のハウジング内に振動モータを収容しても、振動モータの振動がハウジングを介して回路基板に伝達されるため、回路基板も振動モータによって振動し、この振動によって回路基板が悪影響を受けるという問題もある。
【０００８】
この発明が解決しようとする課題は、効率良く機器ケースに振動を伝達できる時計モジュールおよび電子機器を提供することである。
【課題を解決するための手段】
【０００９】
この発明は、振動モータを収容するハウジングと、前記振動モータの設置空間を形成するための切欠き部が設けられた回路基板と、を備え、前記ハウジングは前記振動モータに対応する箇所が前記機器ケースの内面に密着した状態で前記機器ケース内に収容されており、前記回路基板は、弾性部材を介して前記ハウジングに対し隙間をもって取り付けられており、前記弾性部材は、前記ハウジングに取り付けられる表示パネルと前記回路基板との間に弾力性を有して配置された状態で、その両方を電気的に接続するインターコネクタであることを特徴とする時計モジュールである。
【００１０】
この発明は、機器ケースと、この機器ケース内に配置されて振動モータを収容するハウジングと、このハウジングに配置され、前記振動モータの設置空間を形成するための切欠き部が設けられた回路基板とを備えており、前記ハウジングは前記振動モータに対応する箇所が前記機器ケースの内面に密着した状態で前記機器ケース内に収容されており、前記回路基板は前記ハウジングに対して非接触状態で配置されていることを特徴とする電子機器である。
【発明の効果】
【００１１】
この発明によれば、振動モータの振動をハウジングによって機器ケースに確実に且つ良好に伝達することができるので、機器ケースを効率良く振動させることができると共に、振動モータの振動が回路基板に伝達されるのを抑制することができるほか、振動モータをそのままハウジング内に収容することができるので、設置スペースの最小化を図ることができ、これにより機器全体の小型化を十分に図ることができる。
【図面の簡単な説明】
【００１２】
【図１】この発明を腕時計に適用した一実施形態を示した拡大正面図である。
【図２】図１に示された腕時計のＡ−Ａ矢視における拡大断面図である。
【図３】図２に示された腕時計における要部を更に拡大して示した断面図である。
【図４】図３に示された腕時計の要部において、腕時計ケースから裏蓋を取り外して分解した状態を示した要部の断面図である。
【図５】図２に示された腕時計の時計モジュールを示した拡大裏面図である。
【図６】図５に示された時計モジュールにおいて、振動モータを取り外した状態を示した拡大裏面図である。
【図７】図５に示された時計モジュールの回路基板を示した拡大裏面図である。
【図８】図７に示された時計モジュールの回路基板に下部ハウジングを配置した状態を示した拡大裏面図である。
【図９】この発明を腕時計に適用した一実施形態の変形例を示した要部の拡大断面図である。
【発明を実施するための形態】
【００１３】
以下、図１〜図８を参照して、この発明を腕時計に適用した一実施形態について説明する。
この腕時計は、図１および図２に示すように、腕時計ケース１を備えている。この腕時計ケース１は、硬質合成樹脂または金属などからなるケース本体２の外周にウレタン樹脂などの軟質合成樹脂からなるベゼル３を設けた構成になっている。
【００１４】
この腕時計ケース１の上部開口部には、時計ガラス４がパッキン４ａを介して取り付けられており、腕時計ケース１の下面には、裏蓋５が防水リング５ａを介してビス５ｂによって取り付けられている。また、この腕時計ケース１内には、図２に示すように、時計モジュール６が配置されている。さらに、この腕時計ケース１の側面には、図１に示すように、複数の押釦スイッチ７が設けられており、この腕時計ケース１の６時側の上面には、図１および図２に示すように、フロントスイッチ８が設けられている。
【００１５】
時計モジュール６は、図２に示すように、硬質の合成樹脂からなる上部ハウジング１０と下部ハウジング１１とを備えている。上部ハウジング１０と下部ハウジング１１との間には、図２に示すように、回路基板１２が配置されている。下部ハウジング１１の下面には、地板１３が配置されている。この地板１３の周縁部には、図５に示すように、複数のフック部１３ａが設けられている。
【００１６】
この複数のフック部１３ａは、図２および図５に示すように、上部ハウジング１０の側面に設けられた係止部１０ａに係止されるように構成されている。これにより、上部ハウジング１０と下部ハウジング１１とは、図２に示すように、その間に回路基板１２を挟んだ状態で、下部ハウジング１１の下面に配置された地板１３のフック部１３ａが上部ハウジング１０の側面に設けられた係止部１０ａに係止されることにより、一体化されて腕時計ケース１内に組み込まれるように構成されている。
【００１７】
この場合、上部ハウジング１０の上面には、図２〜図４に示すように、複数の表示窓部１４ａを有する文字板１４が配置されている。また、下部ハウジング１１には、図２〜図６に示すように、電池１５を着脱可能に収納する電池収納部１６が下側に開放されて設けられている。
【００１８】
一方、上部ハウジング１０には、図２および図３に示すように、表示パネル１７を収納するパネル収納部１８と、振動モータ２０を収容するモータ収容部２１とが設けられている。パネル収納部１８は、上部ハウジング１０のほぼ中央部に上下に貫通して設けられた開口部であり、その内周面における上縁部には、表示パネル１７の縁部が下側から当接する鍔部１８ａが内側に向けて突出して設けられている。
【００１９】
表示パネル１７は、液晶表示素子やＥＬ（エレクトロ・ルミネッセンス）表示素子などの平面型の表示素子からなり、時刻などの情報を電気光学的に表示し、この表示された情報が文字板１４の複数の表示窓部１４ａを通して外部から見えるように構成されている。この表示パネル１７は、図２〜図４に示すように、その両側部がインターコネクタ２２によってパネル収納部１８内に弾力的に支持されている。
【００２０】
このインターコネクタ２２は、図２〜図４に示すように、表示パネル１７と回路基板１２とを電気的に接続するためのものであり、導電性ゴムと絶縁性ゴムとを交互に配列した構成になっている。この場合、インターコネクタ２２は、表示パネル１７の両側の電極部と回路基板１２の接続電極（いずれも図示せず）との間に配置されて、その上端部が表示パネル１７の両側縁をパネル収納部１８の鍔部１８ａに下側から弾力的に押し付けると共に、下端部が回路基板１２の上面に弾力的に押し付けられるように構成されている。
【００２１】
これにより、表示パネル１７は、図２および図３に示すように、インターコネクタ２２によってパネル収納部１８内に弾力的に支持されている。また、回路基板１２は、インターコネクタ２２によって上部ハウジング１０に接触しないように、上部ハウジング１０との間に僅かな隙間をもって非接触状態で弾力的に配置されている。この回路基板１２には、その上下面にＬＳＩや水晶振動子などの時計機能に必要な各種の電子部品１９が設けられている。
【００２２】
一方、モータ収容部２１は、図２〜図６に示すように、上部ハウジング１０における１２時側に位置する箇所の下部にその下側に開放されて設けられている。この場合、回路基板１２には、振動モータ２０の設置空間を確保するための切欠き部１２ａが、モータ収容部２１に対応して設けられている。これにより、上部ハウジング１０は、その一部が回路基板１２の切欠き部１２ａを通して回路基板１２に接触することなく回路基板１２の下側に突出している。
【００２３】
この上部ハウジング１０の下側に突出した部分は、図３および図４に示すように、下部ハウジング１１に接触することなく、下部ハウジング１１の切欠き部１１ａ内に挿入され、その下端部が裏蓋５の内面に接触することなく接近するように構成されている。これにより、モータ収容部２１は、上部ハウジング１０の下側に突出した部分に、回路基板１２よりも下側に位置した状態で設けられている。
【００２４】
このモータ収容部２１が設けられた箇所の上部ハウジング１０は、図３および図４に示すように、その外周面が腕時計ケース１のケース本体２の内面に密着した状態で、ケース本体２内に配置されている。この場合、モータ収容部２１は、下部ハウジング１１の電池収納部１６側に位置する側面部が下部ハウジング１１の切欠き部１１ａ内に開放されている。
【００２５】
振動モータ２０は、図３〜図５に示すように、モータ本体部２０ａと振動発生部２０ｂとを備え、これらがモータ収容部２１内に収容されるように構成されている。モータ本体部２０ａは、コイルに磁界を発生させ、この発生した磁界よってロータを回転させるように構成されている。振動発生部２０ｂは、ロータの回転によって分銅部分を偏心回転させることにより、振動を発生するように構成されている。
【００２６】
この振動モータ２０は、振動発生部２０ｂがモータ収容部２１および回路基板１２に接触することなく、モータ本体部２０ａがモータ収容部２１の内面に両面接着テープなどの接着材２３によって固着されている。この場合、振動モータ２０は、図３および図４に示すように、下部ハウジング１１の電池収納部１６側に位置する外周面が、下部ハウジング１１に接触することなく、下部ハウジング１１の切欠き部１１ａ内に突出して配置されている。
【００２７】
また、この振動モータ２０は、図３および図４に示すように、モータ収容部２１から下側に突出して露出するモータ本体部２０ａの外周面が緩衝部材２４を介して裏蓋５の内面に弾力的に押し付けられている。この緩衝部材２４は、モータ本体部２０ａの下部外周面に配置された保護部材２５と、この保護部材２５と裏蓋５との間に配置された弾性部材２６とを備えている。
【００２８】
保護部材２５は、ポリカーボネートの合成樹脂に金属粒子などの補強材を充填した硬質の材料によって形成され、振動モータ２０を保護するように構成されている。また、弾性部材２６は、シリコーンゴムやウレタンゴムなどのゴム、あるいはエラストマーなどの軟質の弾性材料によって形成され、保護部材２５と裏蓋５とによって圧縮されて変形することにより、保護部材２５と裏蓋５との隙間を吸収するように構成されている。
【００２９】
これにより、振動モータ２０は、図４に示すように、腕時計ケース１の下部に裏蓋５を配置してビズ５ｂによって締め付けた際に、図３に示すように、ビス５ｂの締め付け力によって緩衝部材２４の弾性部材２６が圧縮変形して硬質の保護部材２５を振動モータ２０に押し付けることにより、振動モータ２０と裏蓋５との間の隙間を吸収して、振動モータ２０をモータ収容部２１内に押圧して圧接させるように構成されている。
【００３０】
次に、このような振動モータ２０の作用について説明する。
振動モータ２０が駆動されて振動発生部２０ｂで振動を発生すると、その振動が上部ハウジング１０に伝達される。すなわち、振動モータ２０は上部ハウジング１０のモータ収容部２１内に収容された状態で、その下部外周が緩衝部材２４を介して裏蓋５によって押し上げられ、モータ収容部２１内に押し付けられているので、振動モータ２０の振動が上部ハウジング１０に確実に且つ良好に伝達される。
【００３１】
この上部ハウジング１０に伝達された振動は、腕時計ケース１のケース本体２に伝達され、腕時計ケース１が振動する。すなわち、上部ハウジング１０は、モータ収容部２１が設けられた箇所の外周面が腕時計ケース１のケース本体２の内面に密着した状態で、ケース本体２内に配置されていることにより、図３の矢印のように、上部ハウジング１０の振動がケース本体２に確実に伝わり、これにより腕時計ケース１が良好に振動する。
【００３２】
また、振動モータ２０の振動は、緩衝部材２４を介して裏蓋５にも伝達されて裏蓋５も振動する。すなわち、緩衝部材２４は、モータ本体部２０ａの下部外周面に配置された保護部材２５と、この保護部材２５と裏蓋５との間に配置された弾性部材２６とを備え、腕時計ケース１の下部に裏蓋５を配置してビズ５ｂによって締め付けた際に、ビス５ｂの締め付け力によって緩衝部材２４の弾性部材２６が圧縮変形して硬質の保護部材２５を振動モータ２０に押し付けているので、図３の矢印のように、振動モータ２０の振動が裏蓋５に伝達される。
【００３３】
ところで、振動モータ２０の振動が上部ハウジング１０に伝達されても、その振動は回路基板１２や下部ハウジング１１にほとんど伝達されることはない。すなわち、回路基板１２は、インターコネクタ２２によって上部ハウジング１０に接触しないように、上部ハウジング１０との間に僅かな隙間を有して非接触状態で配置されているので、上部ハウジング１０に伝達された振動が回路基板１２に伝達されないように抑制される。
【００３４】
この場合、インターコネクタ２２は、上部ハウジング１０のパネル収納部１８に収納される表示パネル１７と回路基板１２とを電気的に接続するもので、導電性ゴムと絶縁性ゴムとを交互に配列した構成であり、このインターコネクタ２２が表示パネル１７と回路基板１２との間に弾力的に配置されていることにより、上部ハウジング１０に伝達された振動が回路基板１２に伝達されないように、インターコネクタ２２によって弾力的に吸収することができる。このため、振動モータ２０の振動によって回路基板１２に悪影響を及ぼさないようにすることができる。この結果、回路基板１２の上下面に設けられているＬＳＩや水晶振動子などの各種の電子部品１９の損傷または破壊などを未然に防止することができる。
【００３５】
また、下部ハウジング１１も、上部ハウジング１０に接触することなく配置されているので、上部ハウジング１０に伝達された振動が下部ハウジング１１に伝達されることはない。このため、振動モータ２０の振動によって上部ハウジング１０が振動しても、その振動を下部ハウジング１１によって回路基板１２に伝達することがないので、これによっても振動モータ２０の振動によって回路基板１２が悪影響を受けることがない。この結果、回路基板１２の上下面に設けられているＬＳＩや水晶振動子などの各種の電子部品１９の損傷または破壊などを未然に防止することができる。
【００３６】
このように、この振動モータ２０の取付構造によれば、腕時計ケース１内に配置されて振動モータ２０を収容するための上部ハウジング１０に、振動モータ２０の設置空間を形成するための切欠き部１２ａが設けられた回路基板１２を配置した振動モータ２０の取付構造において、上部ハウジング１０は振動モータ２０に対応する箇所が腕時計ケース１の内面に密着した状態で腕時計ケース１内に収容されており、回路基板１２は上部ハウジング１０に対して非接触状態で配置されていることにより、腕時計全体の小型化を図り、振動による回路基板１２への悪い影響を防いで、回路基板１２の上下面に設けられているＬＳＩや水晶振動子などの各種の電子部品１９の損傷または破壊などを未然に防止しながら、効率良く腕時計ケース１に振動を伝達することができる。
【００３７】
すなわち、この振動モータ２０の取付構造では、上部ハウジング１０に設けられたモータ収容部２１内に振動モータ２０が収容されていると共に、このモータ収容部２１に対する箇所の上部ハウジング１０が腕時計ケース１の内面に密着しているので、振動モータ２０で発生した振動を上部ハウジング１０に確実に伝達することができると共に、この上部ハウジング１０を介して振動モータ２０の振動を腕時計ケース１に確実に且つ良好に伝達することができる。
【００３８】
また、この振動モータ２０の取付構造では、回路基板１２が上部ハウジング１０に対して非接触状態で配置されていることにより、振動モータ２０の振動が上部ハウジング１０に伝達されても、この上部ハウジング１０に伝達された振動が回路基板１２に伝達されないように抑制することができ、これにより回路基板１２が振動するのを防いで、振動による回路基板１２への悪影響を防ぐことができるほか、上部ハウジング１０のモータ収容部２１を振動モータ２０と同じ大きさに形成することができるので、振動モータ２０の設置スペースを最小化でき、これにより腕時計全体の小型化を十分に図ることができる。
【００３９】
すなわち、この振動モータ２０の取付構造では、回路基板１２が弾性部材であるインターコネクタ２２を介して上部ハウジング１０に対し隙間を有して取り付けられているので、回路基板１２を上部ハウジング１０に対して非接触状態で配置することができると共に、振動モータ２０の振動によって上部ハウジング１０が振動しても、その振動をインターコネクタ２２によって弾力的に吸収することができ、これにより振動モータ２０の振動によって回路基板１２が悪影響を受けないようにすることができる。この結果、回路基板１２の上下面に設けられているＬＳＩや水晶振動子などの各種の電子部品１９の損傷または破壊などを未然に防止することができる。
【００４０】
この場合、弾性部材であるインターコネクタ２２は、上部ハウジング１０に取り付けられる表示パネル１７と回路基板１２との間に弾力性を有して配置された状態で、その両方を電気的に接続する構成のものであるから、部品点数が増加せず、既存の構造で回路基板１２と上部ハウジング１０との間に僅かな隙間を弾力的に設けることができ、これにより回路基板１２を上部ハウジング１０に対して非接触状態で配置することができるので、振動モータ２０の振動によって回路基板１２が悪影響を受けないようにすることができる。
【００４１】
また、この振動モータ２０の取付構造では、振動モータ２０が緩衝部材２４を介して腕時計ケース１の裏蓋５によって上部ハウジング１０のモータ収容部２１内に押圧されているので、振動モータ２０の振動を上部ハウジング１０に確実且つ良好に伝達することができると共に、緩衝部材２４を介して振動モータ２０の振動を裏蓋５にも伝達することができるので、裏蓋５をも良好に振動させることができる。
【００４２】
この場合、緩衝部材２４は、モータ本体部２０ａの下部外周面に配置された保護部材２５と、この保護部材２５と裏蓋５との間に配置された弾性部材２６とを備え、腕時計ケース１の下部に裏蓋５を配置してビズ５ｂによって締め付けた際に、ビス５ｂの締め付け力によって緩衝部材２４の弾性部材２６を圧縮変形させて硬質の保護部材２５を振動モータ２０に確実に押し付けることができ、これにより振動モータ２０の振動を裏蓋５に確実に且つ良好に伝達することができる。
【００４３】
さらに、この振動モータ２０の取付構造では、モータ収容部２１の箇所の上部ハウジング１０が回路基板１２の切欠き部１２ａを通して下側に突出していても、この下側に突出した部分が回路基板１２の下側に配置された下部ハウジング１１の切欠き部１１ａ内に接触することなく挿入されていることにより、振動モータ２０の振動によって上部ハウジング１０が振動しても、その振動が下部ハウジング１１に伝達されることがないので、これによっても振動モータ２０の振動によって回路基板１２が悪影響を受けないようにすることができる。
【００４４】
なお、上述した実施形態では、上部ハウジング１０のモータ収容部２１が下部ハウジング１１の電池収納部１６側に位置する側面部を下部ハウジング１１の切欠き部１１ａ内に開放した構成である場合について述べたが、必ずしもモータ収容部２１の側面部を下部ハウジング１１の切欠き部１１ａ内に開放した構成である必要はなく、例えば図９に示す変形例のように構成しても良い。
【００４５】
すなわち、この変形例では、上部ハウジング１０にモータ収容部３０を半円筒形状に形成した構成になっている。このように構成すれば、モータ収容部３０内に振動モータ２０を確実に且つ良好に収容することができるので、振動モータ２０で発生した振動を確実に且つ良好に上部ハウジング１０に伝達して腕時計ケース１を良好に振動させることができる。
【００４６】
また、上述した実施形態およびその各変形例では、振動モータ２０を収容するモータ収容部２１が位置する箇所の上部ハウジング１０が回路基板１２の切欠き部１２ａを通して回路基板１２の下側に突出した構成である場合について述べたが、必ずしもモータ収容部２１が位置する箇所の上部ハウジング１０が回路基板１２の下側に突出する必要はなく、モータ収容部２１が位置する箇所の上部ハウジング１０が回路基板１２の切欠き部１２ａ内に配置され、これに伴って振動モータ２０が回路基板１２の上方に配置された構成であっても良い。
【００４７】
さらに、上述した実施形態およびその各変形例では、指針式の腕時計に適用した場合について述べたが、必ずしも腕時計である必要はなく、例えばトラベルウオッチ、目覚まし時計、置き時計、掛け時計などの各種の指針式の時計に適用することができる。また、必ずしも時計に適用する必要はなく、携帯電話機などの電子機器にも広く適用することができる。
【００４８】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００４９】
（付記）
請求項１に記載の発明は、機器ケース内に配置されて振動モータを収容するハウジングに、前記振動モータの設置空間を形成するための切欠き部が設けられた回路基板を配置してなる振動モータの取付構造において、
前記ハウジングは前記振動モータに対応する箇所が前記機器ケースの内面に密着した状態で前記機器ケース内に収容されており、前記回路基板は前記ハウジングに対して非接触状態で配置されていることを特徴とする振動モータの取付構造である。
【００５０】
請求項２に記載の発明は、請求項１に記載の振動モータの取付構造において、前記回路基板は、弾性部材を介して前記ハウジングに対し隙間をもって取り付けられていることを特徴とする振動モータの取付構造である。
【００５１】
請求項３に記載の発明は、請求項２に記載の振動モータの取付構造において、前記弾性部材は、前記ハウジングに取り付けられる表示パネルと前記回路基板との間に弾力性を有して配置された状態で、その両方を電気的に接続するインターコネクタであることを特徴とする振動モータの取付構造である。
【００５２】
請求項４に記載の発明は、請求項１〜請求項３のいずれかに記載の振動モータの取付構造において、前記振動モータは、緩衝部材を介して前記機器ケースの裏部によって前記ハウジング内に押圧されていることを特徴とする振動モータの取付構造である。
【００５３】
請求項５に記載の発明は、機器ケースと、この機器ケース内に配置されて振動モータを収容するハウジングと、このハウジングに配置され、前記振動モータの設置空間を形成するための切欠き部が設けられた回路基板とを備えており、
前記ハウジングは前記振動モータに対応する箇所が前記機器ケースの内面に密着した状態で前記機器ケース内に収容されており、前記回路基板は前記ハウジングに対して非接触状態で配置されていることを特徴とする電子機器である。
【符号の説明】
【００５４】
１  腕時計ケース
２  ケース本体
４  時計ガラス
５  裏蓋
６  時計モジュール
１０  上部ハウジング
１１  下部ハウジング
１２  回路基板
１２ａ  切欠き部
１７  表示パネル
１８  パネル収納部
１８ａ  鍔部
２０  振動モータ
２０ａ  モータ本体部
２０ｂ  振動発生部
２１、３０  モータ収容部
２２  インターコネクタ
２３  接着材
２４  緩衝部材
２５  保護部材
２６  弾性部材
【図１】
0005817328.tif 000002
【図２】
0005817328.tif 000003
【図３】
0005817328.tif 000004
【図４】
0005817328.tif 000005
【図５】
0005817328.tif 000006
【図６】
0005817328.tif 000007
【図７】
0005817328.tif 000008
【図８】
0005817328.tif 000009
【図９】
0005817328.tif 000010